(57)【要約】【課題】移動体通信システム全体の負荷状態を考慮しながら、自動的にシステム内の基地局の負荷分散制御を行ない、システム全体の平均スループットを向上。【解決手段】  EMSに、制御対象のNEのアンテナ情報およびアンテナのチルト角を変更した場合のカバーエリアの変更範囲の情報を持たせておき、NEは、予め決められた周期でトラフィック情報を取得して、EMSおよびNMSに送信しするとともに、トラフィック情報に基いて、負荷の高いNEをおよび隣接するNEを選択し、カバーエリアの変更範囲の情報および、トラフィック情報に基いてアンテナのチルト角の変更量を算出し、チルト角変更指示を送信しチルト角を制御することで負荷分散を行なう。【選択図】  図４ａ
2012054736.tif 000002
【特許請求の範囲】
【請求項１】
複数の無線端末と接続されるネットワーク・エレメントと、それぞれが複数のネットワークエレメントと接続される複数のエレメント・マネージャと、該複数のエレメントマネージャが接続されるネットワーク・マネージャを有する移動体通信システムであって、
前記エレメント・マネージャは、それぞれエレメント・マネージャが制御する対象のネットワーク・エレメントについて、現在のアンテナ情報およびアンテナのチルト角を変更した場合のカバーエリアの変更範囲の情報およびアンテナのチルト角を変更した場合のカバーエリアの変更範囲のシミュレーションを行なうシミュレータを有しており、
前記ネットワーク・エレメントは、前記無線端末から送信されてくる情報に基いて、予め決められた周期でネットワーク・エレメントのトラフィック情報を取得して、接続されている前記複数のエレメント・マネージャに送信し、前記複数のエレメント・マネージャは、ネットワーク・エレメントから受信したトラフィック情報を、前記ネットワーク・マネージャに前記予め決められた周期で送信するとともに、前記トラフィック情報に基いて、負荷の高いネットワーク・エレメントをおよび該ネットワーク・エレメントに隣接するネットワーク・エレメントを選択し、前記現在のアンテナ情報およびアンテナのチルト角を変更した場合のカバーエリアの変更範囲の情報および、トラフィック情報に基いて、前記シミュレータを用いて負荷の高いネットワーク・エレメントおよび隣接するネットワーク・エレメントについて、負荷分散を行なうためのアンテナのチルト角の変更量を算出し、それぞれのネットワークエレメントに対し、前記算出したチルト角の変更量を含むチルト角変更指示を送信し
前記ネットワーク・エレメントは、前記チルト角変更指示に基づいてアンテナのチルト角を変更することを特徴とする移動体通信システム。
【請求項２】
前記トラフィック情報は、ネットワーク・エレメントのコネクション数、接続している無線端末の位置情報、ネットワーク・エレメントの平均スループットを含むことを特徴とする請求項１に記載の移動体通信システム。
【請求項３】
前記ネットワーク・エレメントは、複数のセクタから構成され、前記アンテナのチルト角の制御は、セクタ単位で行なわれることを特徴とする請求項１に記載の移動体通信システム。
【請求項４】
前記ネットワーク・エレメントは、ネットワーク・エレメントとエレメント・マネージャ間のインタフェースが異なる複数種類のネットワーク・エレメントを含み、前記ネットワーク・マネージャが各エレメント・マネージャ間の制御を行なうことにより、異なる複数種類のネットワーク・エレメントを含む移動体通信システム全体のチルト角変更制御を行なうことを特徴とする請求項１に記載の移動体通信システム。
【請求項５】
複数の無線端末と接続されるネットワーク・エレメントと、複数のネットワークエレメントと接続される複数のエレメント・マネージャと、該複数のエレメントマネージャが接続されるネットワーク・マネージャを有する移動体通信システムにおける負荷分散方法でであって、
前記エレメント・マネージャは、それぞれエレメント・マネージャが制御する対象のネットワーク・エレメントについて、現在のアンテナ情報およびアンテナのチルト角を変更した場合のカバーエリアの変更範囲の情報を有しており、
前記ネットワーク・エレメントは、前記無線端末から送信されてくる情報に基いて、予め決められた周期でネットワーク・エレメントのトラフィック情報を取得して、接続されている前記複数のエレメント・マネージャに送信し、前記複数のエレメント・マネージャは、ネットワーク・エレメントから受信したトラフィック情報を、前記ネットワーク・マネージャに前記予め決められた周期で送信するとともに、前記トラフィック情報に基いて、負荷の高いネットワーク・エレメントをおよび該ネットワーク・エレメントに隣接するネットワーク・エレメントを選択し、前記現在のアンテナ情報およびアンテナのチルト角を変更した場合のカバーエリアの変更範囲の情報および、トラフィック情報に基いて、前記負荷の高いネットワーク・エレメントおよび隣接するネットワーク・エレメントについて、アンテナのチルト角の変更量を算出し、それぞれのネットワークエレメントに対し、前記算出したチルト角の変更量を含むチルト角変更指示を送信し、
前記ネットワーク・エレメントは、前記チルト角変更指示に基づいてアンテナのチルト角を変更することを特徴とする移動体通信システムにおける負荷分散方法。
【請求項６】
前記トラフィック情報は、ネットワーク・エレメントのコネクション数、接続している無線端末の位置情報、ネットワーク・エレメントの平均スループットを含むことを特徴とする請求項５に記載の負荷分散方法。
【請求項７】
前記ネットワーク・エレメントは、複数のセクタから構成され、前記アンテナのチルト角の制御は、セクタ単位で行なわれることを特徴とする請求項５に記載の負荷分散方法。
【請求項８】
前記ネットワーク・エレメントは、ネットワーク・エレメントとエレメント・マネージャ間のインタフェースが異なる複数種類のネットワーク・エレメントを含み、前記ネットワーク・マネージャが各エレメント・マネージャ間の制御を行なうことにより、異なる複数種類のネットワーク・エレメントを含む移動体通信システム全体のチルト角変更制御を行なうことを特徴とする請求項５に記載の負荷分散方法。
【発明の詳細な説明】
【技術分野】
【０００１】
本発明は、移動体通信技術に関し、特に、移動体通信システムにおける負荷分散技術に関する。
【背景技術】
【０００２】
３．５世代以降の移動体通信システム(1xEVDO、HSDPA、LTE、WiMAXなど)は、データ通信に特化し、受信品質が良好な端末には、データレートの高い符号化方式を適用するなどして、基地局がカバーしているエリア（セル）全体のスループットを向上させることに成功している。しかし、無線端末は移動するものであることから、移動体通信システム内のそれぞれの基地局のコネクション数は不均一であり、時間や場所によって特定の基地局のセル内（基地局が複数セクタ構成である場合にはセクタ内）に、ユーザが偏ってしまうことが多々ある。このように特定の基地局のセル内のコネクション数が増加し、セル（またはセクタ）の負荷が増加すると、セル（またはセクタ）全体のスループットの平均値が下がってしまう。一方、ユーザが偏っているセル（またはセクタ）のすぐ隣のセル（またはセクタ）は、接続呼数が少なく、負荷も少なく、セル（またはセクタ）全体のスループットの平均値が高いということも多い。移動体通信システムにおいては、そのようにある特定のセル（またはセクタ）にユーザが偏ってスループットが低下する場合の対応を常に求められている。
【０００３】
その対応の一つとして、特許文献１には、無線ゾーンが複数のセクタに分割されて構成されている基地局において、セクタ毎の下り総送信電力の値がセクタ間で均等となるように、各セクタの可変指向性アンテナの指向性を制御する技術が開示されている。
また、特許文献２には、基地局が、自局の負荷状態を示す値と、隣接する他の基地局の負荷状態を示す値を取得し、自局の負荷状態を示す値が所定値を超えた場合には、負荷状態を示す値が所定値未満となる他の基地局を選択し、自局に無線接続された複数の無線通信端末から、選択した他の基地局を次の無線接続先候補としている無線通信端末を抽出して、抽出した無線通信端末に対して無線接続を開放する旨を通知し、通知に基づいて無線通信端末は、選択した他の基地局との間で無線接続を確立する技術が開示されている。
【先行技術文献】
【特許文献】
【０００４】
【特許文献１】特開２００４−２９７２９１号公報
【特許文献２】特開２００８−２１１６４５号公報
【発明の概要】
【発明が解決しようとする課題】
【０００５】
特許文献１に開示された技術は一つの基地局内の負荷分散制御であり、基地局が、基地局ないのあるセクタの負荷を別のセクタへ分散する技術である。特許文献２に記載された技術は、基地局が自局の負荷状態が所定値を超えたことを契機に、負荷分散可能な他の基地局を選択し、さらに自局に接続されたすべての無線通信端末に無線接続先候補の問合わせを行なうものである。特許文献２に記載された技術は、自局が負荷状態であることを検出した後に、負荷分散可能な基地局の選択や、自局に接続された無線通信端末に問い合わせをする必要があり、負荷状態が時々刻々変化する環境下でリアルタイムな負荷分散制御が行うことが困難である。さらに、異なるベンダーの基地局が混在しているシステムの場合には、隣接する他の基地局から負荷情報を取得できないこともある。
また、負荷状態の値の少ない隣接基地局を負荷分散先として選択し、その基地局を次の無線接続先候補としている無線通信端末をハンドオフさせる場合、そのような端末が多数存在すると、まとめてハンドオフさせられ、ハンドオフ先の隣接基地局が高負荷状態に陥る恐れもある。また、別の高負荷状態の基地局からも、同じ基地局に次々に無線通信端末がハンドオフしてくるような状況も起こりうる。そのため、単体の基地局が、自分の周りだけを見て負荷分散の制御を行なうのではなく、移動体通信システム全体の負荷状態を見ながら、移動体通信システム全体のスループットを向上させる負荷分散制御の仕組みが必要とされていた。
【０００６】
本発明は上記課題を解決するためになされたもので、移動体通信システム全体の負荷状態を考慮しながら、自動的にシステム内の基地局の負荷分散制御を行ない、移動体通信システム全体の平均スループットを向上させることを目的とする。
【課題を解決するための手段】
【０００７】
上記課題を解決するために、本発明は、複数の無線端末が接続されるネットワーク・エレメント（以下NE）と、複数のNEが接続される複数のエレメント・マネージャ（以下EMS）と、該複数のEMSが接続されるネットワーク・マネージャ（以下NMS）を有する移動体通信システムにおいて、EMSに、それぞれEMSが制御する対象のNEについて、現在のアンテナチルト情報およびチルト角を変更した場合のカバーエリアの変更範囲の情報を持たせておく。NEは、無線端末から送信されてくるメッセージを、予め決められた周期で格納するトラフィック情報を取得して、接続されている複数のEMSに送信する。複数のEMSは、NEから受信したトラフィック情報を、NMSに予め決められた周期で送信するとともに、トラフィック情報に基いて、負荷の高いNEおよびそのNEに隣接するNEを選択し、アンテナのチルト角の変更量を算出する。さらにそれぞれのNEに対し、算出したチルト角の変更量を含むチルト角変更指示を送信し、NEは、チルト角変更指示に基づいてアンテナのチルト角を変更するようにした。
【発明の効果】
【０００８】
本発明によれば、移動体通信システム全体の負荷状態を考慮しながら、自動的にシステム内の基地局を制御して負荷分散制御を行ない、移動体通信システム全体の平均スループットを向上させることができる。
【図面の簡単な説明】
【０００９】
【図１】本発明の一実施形態における移動体通信システムの構成を説明する図である。
【図２】本発明の一実施形態におけるネットワーク・エレメントの構成を説明する図である。
【図３】本発明の一実施形態におけるエレメント・マネージャの構成を説明する図である。
【図４ａ】本発明の一実施形態におけるエレメント・マネージャの処理内容を説明するフローチャートである。
【図４ｂ】本発明の一実施形態におけるネットワーク・エレメントの処理内容を説明するフローチャートである。
【図５】ネットワーク・エレメントおよびエレメント・マネージャが有するテーブルの構成例を示す図である。
【図６】アンテナチルト角の変更とセクタのカバー範囲の変更を説明する図である。
【図７】アンテナチルト角の変更とセクタのカバー範囲の変更を説明する図である。
【図８】アンテナチルト角の変更とセクタのカバー範囲の変更を説明する図である。
【図９】アンテナチルト角の変更とセクタのカバー範囲の変更を説明する図である。
【発明を実施するための形態】
【００１０】
以下、本発明の実施例を図面を用いて説明する。
本実施例では、LTEの一仕様として導入されたSON（Self Organizing Network）に注目し、集中管理型のSONの構成に基づいた負荷分散制御を説明する。
【００１１】
図１は、本発明の実施例における移動体通信システムの構成を説明する図である。
図１は、集中管理型SON を実現する移動体通信システムの構成例を示したものである。SONは、ネットワークを自律的に最適化する技術であり、運用中の基地局や無線端末から、無線信号の受信品質やデータスループットといったSON情報を適宜収集して分析し、ネットワーク全体が最適化されるように基地局の設定を自律的に変更する。ネットワーク内の基地局から送信されるSON情報を集中管理し、分析を行なう構成のSONを集中管理型SONと呼ぶ。
【００１２】
図１において、基地局（以下NE:ネットワーク・エレメント）301〜NE303は、ベンダー１のNEであり、ベンダー１のインタフェースを持つ。また、NE304〜NE306は、ベンダー２のNEであり、ベンダー２のインタフェースを持つ。図１の例では、ベンダー１のNE、ベンダー２のNEが、それぞれベンダー別に、エレメント・マネージャ（以下EMS）201、EMS202に接続される構成を示している。EMS201およびEMS202は、さらにネットワーク・マネージャ（以下NMS）101に接続される。
【００１３】
ここで、NEが単一セクタ構成である場合も、複数セクタ構成である場合も、以下で説明する処理や構成がセル単位であるかセクタ単位であるかの違いだけで、内容的には同じである。そのため、以下の実施例においては、複数セクタ構成の場合について説明する。セクタをセルに読み替えれば、単一セクタ構成の場合が同様に説明できる。
【００１４】
本実施形態では、NE301〜NE306は、予め定めた間隔で(例えば５分間隔で)EMS201、202双方にSON情報を送信する。本実施例では、SON情報はトラフィック情報と呼ぶことにする。本実施例のトラフィック情報には、NEに接続されている無線端末の位置情報、NEのセクタコネクション数、NEのセクタ平均スループットが含まれている。NEは、無線端末から送られてきたメッセージを一時的に格納する呼詳細情報ログ（CDL：Call Detail Log）を備えており、無線端末の位置情報はCDLから取得する。NEのセクタコネクション数、NEのセクタ平均スループットは、CDL情報に基いて単位時間あたりの数値を算出するなどして統計データとしてもっており、それを取得する。
【００１５】
図１において、NE301〜NE303、NE304〜NE306から送られてきたSON情報(トラフィック情報）は、EMS201、EMS202のテーブルにそれぞれ格納される。EMS201およびEMS202は、NEから送られてきたSON情報（トラフィック情報）を、さらにNMS101に送信する。EMS201、EMS202は、EMS間に回線が設置されている場合には、SON情報（トラフィック情報）をEMS間でも送受信する。
本実施例の集中管理型SONを実現する移動体通信システムの構成では、SON情報（トラフィック情報）は、NEから、EMS201、EMS202を介してNMS101にも送信される。SON情報（トラフィック情報）は５分間隔で送信されることから、EMS201、EMS202、NMS101が持つSON情報（トラフィック情報）は、５分毎に更新される。EMS201、EMS202またはNMS101は、SON情報（トラフィック情報）に基づいてNEの制御を行なう。図１のように、一つのNEが複数のEMSに接続されている場合、どちらのEMSがNEを制御するかは、NMS101が判断するか、または予め決めておいてもよい。本実施例の移動体通信システムは、このように、リアルタイム（例えば５分毎）で更新されるSON情報（トラフィック情報）を、EMS、NMSが共有していることで、ベンダーの異なるNEも含め、移動体通信システム全体のNEを制御して、ネットワーク全体のスループットを上げる。
【００１６】
次に、NEの構成について説明する。
図２は、本発明の実施例のNEの構成を説明する図である。
【００１７】
図２に示すように、NE301は、アンテナ311とチルト角度変更装置312を備える。NE301の無線基地局制御装置313は、例えば５分おきにテーブル314に記憶されたCDL情報から無線端末の位置情報を取得し、また、前述のようにテーブル314に統計データとして持っているセクタコネクション数、セクタ平均スループットを取得する。そしてトラフィック情報送信装置315が、それらの無線端末の位置情報、セクタコネクション数、セクタ平均スループットを、トラヒック情報としてNEの上位にあり複数のNEを管理するノードであるEMSに送信する。トラフィック情報チルト角変更指示取得部316は、EMSから送られてきたチルト角変更指示を受信し、チルト角変更指示に含まれるチルト角などの情報をテーブル314に格納する。無線基地局制御装置313は、テーブル314に格納されたチルト角の情報を、チルト角度制御信号へ変換し、チルト角度変更装置312に対して、チルト角度制御信号を出力することでアンテナ311のチルト角を調節し、アンテナから発射される電波がカバーするエリアを制御する。
【００１８】
次に、EMSの構成について説明する。
図３は、本発明の実施例におけるEMSの構成を説明する図である。
EMS201のトラフィック情報取得部211は、例えば５分おきにNEからトラヒック情報を受信する。トラヒック情報取得部211は、受信した情報をトラヒック情報タイムテーブル212に渡し、格納しておく。情報処理装置213は、例えば５分おきにトラヒック情報タイムテーブル212から読み込む。情報処理装置213は、読み込んだトラヒック情報をまずトラヒック情報比較装置214にて比較を行い、その後チルト変更対象セクタ選別装置215にてチルト角変更の必要なセクタを決める。さらに、取得したトラヒック情報に基づいて、チルト角変更角度算出装置216がチルト角の変更角度を計算し、チルト角度の変更が必要なセクタの情報とともにチルト角の変更角度をチルト変更テーブル217に格納し、５分おきに当該セクタを管理するNEに対して、チルト角変更指示送信装置218からチルト角変更指示を送信する。また、チルト変更対象セクタ選別装置は、ネイバーリストから、チルト角の変更指示を送信したセクタの隣接セクタを選別し、その隣接セクタのトラフィック情報から、チルト角の変更が必要な隣接セクタを選別し、チルト角変更角度算出装置が、選別した隣接セクタのチルト角の変更角度を算出する。そして、チルト角変更テーブルに格納するとともに、対象セクタのチルト角変更指示送信装置より、対象の隣接セクタを管理するNEにチルト角変更指示を送信する。隣接セクタの選別と隣接セクタのチルト角変更角度の算出は、最初のセクタの選別およびチルト角の変更角度の算出と一緒に行なってもよいし、最初のセクタの選別およびチルト角の変更処理が終わってから行ってもよい。
【００１９】
チルト角変更対象の隣接セクタを管理するEMSが別のEMSであれば、そのEMS、さらには上位ノードのNMSにもチルト角の変更角度の情報を送信する。EMS201は、隣接のEMS（管理するセクタのネイバーリストに存在する隣接セクタを管理するEMS）および上位ノードNMSからもその管理下にあるセクタのトラヒック情報を収集し、トラフィック情報タイムテーブル212に登録しておく。
【００２０】
次に、EMSおよびNEの処理フローについて説明する。
図４（ａ）は、本発明の実施例におけるEMSの処理内容を説明するフローチャートである。
EMSは例えば５分おきにトラヒック情報テーブルからセクタのトラヒック情報を収集し（S401）、各セクタのコネクション数をあらかじめ決めていた閾値と比較する（S402）。セクタのコネクション数があらかじめ決めていたコネクション数の閾値を超過したセクタがあった場合、さらに他のセクタについてコネクション数を調べ、コネクション数が最大値を持つセクタを選別する（S403）。Ｓ402で全てのセクタにおいてコネクション数が閾値以下の場合、トラヒック情報を読み込むステップS401に戻る。
EMSは、S403で選別したセクタをチルト角を下げる方向に変更する対象とし、続いて無線端末の位置情報、ネイバーリストから、チルト角を上げる方向に変更する隣接セクタも選別するS404。
次に、チルト角を下げる方向に変更するセクタ、およびそのセクタの隣接セクタでチルト角を上げる方向に変更するセクタについて、チルト角の変更角度を算出するS405。そして、それぞれのセクタに送信するチルト角の変更指示と、チルト角の変更角度をテーブルに格納し、チルト角度を変更するすべてのセクタにチルト角の変更指示を送信するS406。
こうした一連の動作が終了したら、再びトラヒック情報を収集するS401に戻る。
【００２１】
図４（ｂ）は、本発明の実施例におけるNEの処理内容を説明するフローチャートである。
NEは、例えば５分おきに、NEが管理するセクタのトラヒック情報とEMSから送信されてきたチルト角変更指示などを格納するテーブルから、トラヒック情報とチルト角変更指示を読み込むS411。NEは、読み込んだセクタのトラヒック情報をEMSに送信する（S412）とともに、EMSからチルト角変更指示あったかどうかをチェックしS413、あった場合には、チルト角変更角度に基づいて、チルト角度制御信号を生成してチルト角度変更装置に送信し、アンテナのチルト角を指示通りに変更しS414、S411に戻る。チルト角変更指示がなかった場合は、指示待ち状態のS411に戻る。
【００２２】
次に、NEおよびEMSが有するテーブルの構成について説明する。
図５（ａ）は、EMSのトラフィック情報タイムテーブルの構成例を示す図である。
図５（ｂ）は、EMSのチルト角変更テーブルの構成例を示す図である。
図５（ｃ）は、NEのトラフィック情報・チルト角変更タイムテーブルの構成例を示す図である。
図５（ｄ）は、NEのトラフィック情報・チルト角変更タイムテーブルの構成例を示す図である。
【００２３】
図５（ａ）に示すEMSのトラフィック情報タイムテーブルは、セルナンバー、NEが複数セクタ構成である場合にはセクタ番号、そのセル（セクタ構成の場合はそのセクタ）におけるコネクション数、そのセル（セクタ構成の場合はそのセクタ）に接続されている各無線端末の位置情報、セル（セクタ構成の場合はそのセクタ）平均スループットの情報を有する。トラフィック情報タイムテーブルは例えば５分おきに更新され、最新データが格納される。
【００２４】
ここまでの説明は、単一セクタの構成をベースにして説明したが、図５を用いた説明では、例として、EMSに、NE1〜NE6の６つのNEが接続され、それぞれ６つのNEがセル1〜セル6を形成し、それらのセルはいずれもの３セクタ構成であるとして説明する。また、セル1のセクタ1、セル2のセクタ3、セル5のセクタ2、セル6のセクタ１は、それぞれが隣接関係にあり、お互いに相手のネイバーリストに入っている（ハンドオフ可能）とする。負荷分散の要否を判定するためのセクタあたりのコネクション数の閾値は5000とする。
【００２５】
図５（ａ）では、セル1のセクタ1とセル2のセクタ3が、コネクション数が閾値を超過しており、EMSの情報処理装置にあるチルト角変更対象セクタ選別装置にてコネクション数が多いセル1のセクタ１が、チルト角を下げる対象のセクタとして選別される。また、チルト角変更対象セクタ選別装置は隣接するセル2のセクタ3をチルト角を上げるセクタとして選択する。次に、情報処理装置のチルト角変更角度算出装置にて、チルト角の変更角度を算出する。チルト角変更角度算出装置には、チルト角の変化に伴うエリアの電波品質を計算するためのシミュレータが内蔵されている。このシミュレータは、EMSが管理する各セクタの送信電力とアンテナ高、現時点でのチルト角のデータ等をあらかじめ持っている。また、EMSが管理する各セクタについて、アンテナのチルト角を変化させた場合にカバーできる範囲についてもデータを予め格納しておく。そして、シミュレータが無線端末位置情報（トラヒックマップ）とセクタ平均スループットに基づいて、負荷を分散するためにはセクタがどの位置の無線端末までカバーすべきかをシミュレーションにより決定し、その無線端末の位置までセクタがカバーするためにはチルト角を何度変更すればよいか計算する。例えば、セル1セクタ1のチルト角を２度下げ、セル2のセクタ3のチルト角を３度上げると算出する。
【００２６】
図５（ｂ）は、EMSが備えるチルト角変更テーブルの構成例を示す。
チルト角変更テーブルは、チルト角を変更する対象のセル番号、セクタ番号とチルト角変更角度の情報から構成される。チルト角変更テーブルには、EMSの情報処理装置から情報が渡され、格納される。図５（ｂ）の例では、セル1のセクタ１とセル2のセクタ３がチルト角変更対象セルのセクタなので、チルト角変更角度の欄にそれぞれ値が入っている。セル5のセクタ2、セル6のセクタ1はチルト角変更対象となっていないので、チルト角変更角度欄は「0」となっている。
【００２７】
図５（ｃ）および（ｄ）はチルト角変更対象のセル1のNEおよびセル2のNEが備えるトラフィック情報・チルト角変更タイムテーブルの構成例を示している。
図５（ｃ）（ｄ）のトラフィック情報・チルト角変更タイムテーブルは、チルト角変更対象のセクタのセクタ番号、そのセクタのコネクション数、そのセクタに接続している無線端末の位置情報、セクタ平均スループットおよびそのセクタのチルト角変更角度の情報を有する。トラヒック情報・チルト変更タイムテーブルには、セクタのトラヒック情報（コネクション数、無線端末位置情報、セクタ平均スループット）を蓄積しておき、またEMSからチルト角変更角度のデータを受信し、格納する。図５（ｃ）と（ｄ）にはそれぞれ１セクタ分の情報しか示していないが、実際は、３セクタ分の情報が格納されており、常に最新のデータに更新され、セクタのトラフィック情報は例えば５分ごとにEMSに送信される。
【００２８】
図６はアンテナチルト角の変更によりセクタのカバー範囲が変更される様子について説明する図である。
アンテナチルト角を下げることによりセクタのエリアは縮小する。逆にアンテナチルト角を上げると、セクタのエリアは拡大する。
【００２９】
アンテナのチルト角を変更することにより、セクタのカバー範囲が変更され、コネクション数の偏りが是正されて、負荷が分散される様子について、図７ないし図９を用いて説明する。
まず図７は、ある時点で、ユーザ数の多いNE1のセクタとユーザ数の少ないNE2のセクタが存在している例を示す。隣接するセクタ間て負荷のばらつきが生じている。
図８は、NE1のセクタとNE2のセクタ間の負荷のばらつきを解決するための目標エリアを示す概念図である。
NE2のセクタはNE1のセクタから報告されるハンドオフ先の候補となる無線セルのリスト（ネイバーリスト）にあるセクタである。ネイバーリストは、NEが追加もしくは削除された場合に更新され、EMS/NMSにも更新したネイバーリストの情報が送信される。セクタ間で接続ユーザ数で偏りが発生した場合、前述のフローにより負荷の大きいセクタアンテナのチルトを下向きに調整するとともに、そのセクタと隣接する負荷の少ない隣接セクタを選択し、そのセクタのチルト角を上げるように調整する。
チルト角変更後のカバー範囲を図９に示す。本実施例のフローに従って、無線端末の位置情報に基いて目標位置までカバー範囲を変更するように、NE1のセクタおよびNE2のセクタのチルト角を制御することで、負荷の高いセクタに接続していた無線端末を、隣接するセクタにハンドオフさせ、セクタの負荷を分散することができる。
【００３０】
以上で述べた本実施例においては、NEは、トラヒック情報・チルト変更情報タイムテーブルを持ち、リアルタイムで更新されるCDLの情報を元にトラヒック情報（無線端末位置情報、セクタコネクション数、セクタ平均スループット）を取得、作成し、トラヒック情報・チルト変更情報タイムテーブルに格納しておく。さらにその情報をEMS、さらにその上位にあるNMSに渡す。EMS/NMSは、トラヒック情報タイムテーブルとチルト変更情報テーブルを持ち、配下にある各セルから収集したトラヒック情報を比較し、チルト変更対象のセクタを決め、さらにチルト角の変更角度を算出し、NEに渡す。チルト変更対象のNEはその情報に基づき、チルト角度を変更する。
【００３１】
本実施例は、このような構成にすることにより、リアルタイムで更新されるセクタのトラフィック情報に基いて、EMS/NMSがシステム全体のNEの各セクタの負荷の制御を行うことができるようになり、刻々と変化する負荷状態に対応した負荷分散制御を行なうことができる。また、ベンダーが異なり、インタフェースが異なる場合でも、このような構成にすることで、異なるベンダーのNEのセクタも含めてトラフィック情報を収集し、負荷分散の制御することができる。本実施例のシステムでは、EMS/NMSが常にトラヒック情報に基いてセクタ間の負荷分散制御を行うので、ハンドオフ先の隣接セルが高負荷状態に陥ることはないと考えられる。
【符号の説明】
【００３２】
１０１  ネットワークマネージャ
２０１，２０２  エレメント・マネージャ
２１１  トラフィック情報取得部
２１２  トラフィック情報タイムテーブル
２１３  情報処理装置
２１４  トラフィック情報比較装置
２１５  チルト角変更対象セクタ選別装置
２１６  チルト角変更角度算出装置（シミュレータ内蔵）
２１７  チルト角変更テーブル
２１８  チルト角変更指示送信装置
２１９  ネイバーリスト
３０１〜３０６  ネットワーク・エレメント
３１１  アンテナ
３１２  チルト角度変更装置
３１３  無線基地局制御装置
３１４  テーブル
３１５  トラフィック情報送信装置
３１６  トラフィック情報チルト角変更指示取得部
【図１】
2012054736.tif 000003
【図２】
2012054736.tif 000004
【図３】
2012054736.tif 000005
【図４ａ】
2012054736.tif 000006
【図４ｂ】
2012054736.tif 000007
【図５】
2012054736.tif 000008
【図６】
2012054736.tif 000009
【図７】
2012054736.tif 000010
【図８】
2012054736.tif 000011
【図９】
2012054736.tif 000012